(57)【特許請求の範囲】
【請求項１】
第３の装置を接続するネットワーク装置と、該ネットワーク装置にネットワークを介して接続される情報処理装置を含むネットワークシステムにおいて、
該情報処理装置は、ネットワークを介して該ネットワーク装置からコマンド生成プログラムをダウンロードするダウンロード部と、該ダウンロード部によりロードされた該コマンド生成プログラムを実行して、コマンドを生成するプログラム実行部と、かつ、生成されたコマンドを含むメッセージデータを該ネットワーク装置へ送信する送受信部を有し、
該ネットワーク装置は、記憶部内に記憶された、コマンドを生成するコマンド生成プログラムと、該情報処理装置から送信されたメッセージデータを受信して、解析するメッセージ解析部と、該メッセージ解析部によって解析されたコマンドを該第３の装置に送信し、かつ該第３の装置から受信したデータを応答メッセージとして該情報処理装置へ送信するコマンドスループログラムを有し、
該情報処置装置の該ダウンロード部は、該送受信部を介して、該ネットワーク装置へ該ネットワーク装置が保持する該コマンド生成プログラムのダウンロードを要求し、
該ネットワーク装置は、該ダウンロード要求に応じて、該コマンド生成プログラムを該情報処理装置へ送信し、
該情報処理装置において、該プログラム実行部は、該送受信部を介して受信した該コマンド生成プログラムを実行してコマンドを生成し、該送受信部は、生成した該コマンドを含むメッセージを該ネットワーク装置へ送信し、
該ネットワーク装置は、該情報処理装置から送信されたメッセージデータを受信し、
該メッセージ解析部で解析したコマンドを、該コマンドスループログラムの実行によって該第３の装置へ送信し、
該第３の装置は、受信した該コマンドを解析して、所定の制御を行うことを特徴とするネットワークシステム。
【請求項２】
前記第３の装置は、住宅設備機器、家電機器又はセンサ機器を含むユビキタスレディ機器であり、該ネットワーク装置に接続するためのシリアルインタフェースと、該シリアルインタフェースを介して受信したコマンドデータを解析するコマンド解析部と、を有し、該コマンド解析部におけるコマンドデータの解析の結果に応じて、該ユビキタスレディ機器の所定の部位を駆動制御し、又は所定の部位から状態情報を取得することを特徴とする請求項１のネットワークシステム。
【請求項３】
該ネットワーク装置は、該情報処理装置から送信される複数の要素データからなるメッセージデータを、要素データを順に受信して取得するメッセージ受信プログラムと、該メッセージデータの要素データを１つずつ順番に状態遷移に従って処理する前記メッセージ解析プログラムと、メッセージ内に格納されたコマンドデータを１つずつ順番に、該第３の装置に送信する前記コマンドスループログラムと、を有することを特徴とする請求項１又は２のネットワークシステム。
【請求項４】
該メッセージ受信プログラムは、インターネットプロトコルに従い、ＩＰパケットとしてメッセージデータを受信し、該メッセージデータには、該情報処理装置のＩＰアドレスとネットワーク装置のＩＰアドレスが宛先または差出のアドレスに格納され、該コマンドデータが格納されるメッセージであることを特徴とする請求項３又は４ネットワークシステム。
【請求項５】
前記情報処理装置は、Ｗｅｂブラウザ機能を備えた端末装置であり、前記ネットワーク装置は複数の該ユビキタスレディ機器を接続することができるユビキタス通信アダプタであることを特徴とする請求項２乃至４のいずれかのネットワークシステム。
【請求項６】
第３の装置を接続するネットワーク装置と、該ネットワーク装置にネットワークを介して接続される情報処理装置を含み、
該情報処理装置は、ネットワークを介して該ネットワーク装置からコマンド生成プログラムをダウンロードするダウンロード部と、該ダウンロード部によりロードされた該コマンド生成プログラムを実行して、コマンドを生成するプログラム実行部と、かつ、生成されたコマンドを含むメッセージデータを該ネットワーク装置へ送信する送受信部を有し、
該ネットワーク装置は、記憶部内に記憶された、コマンドを生成するコマンド生成プログラムと、該情報処理装置から送信されたメッセージデータを受信して、解析するメッセージ解析部と、該メッセージ解析部によって解析されたコマンドを該第３の装置に送信し、かつ該第３の装置から受信したデータを応答メッセージとして該情報処理装置へ送信するコマンドスループログラムを有する、ネットワークシステムにおけるコマンドデータの処理方法であって、
該情報処置装置の該ダウンロード部は、該送受信部を介して、該ネットワーク装置へ該ネットワーク装置が保持する該コマンド生成プログラムのダウンロードを要求し、
該ネットワーク装置は、該ダウンロード要求に応じて、該コマンド生成プログラムを該情報処理装置へ送信し、
該情報処理装置の該プログラム実行部は、該送受信部を介して受信した該コマンド生成プログラムを実行してコマンドを生成し、
該情報処理装置の該送受信部は、生成した該コマンドを含むメッセージを該ネットワーク装置へ送信し、
該ネットワーク装置は、該情報処理装置から送信されたメッセージデータを受信し、
該メッセージ解析部で解析したコマンドを、該コマンドスループログラムの実行によって該第３の装置へ送信し、
該第３の装置は、受信した該コマンドを解析して、所定の制御を行うことを特徴とするネットワークシステムにおけるコマンドデータの処理方法。
【請求項７】
該ネットワーク装置は、該情報処理装置から送信される複数の要素データからなるメッセージデータを、要素データを順に受信し、該メッセージデータの要素データを１つずつ順番に状態遷移に従って処理して、該コマンドスループログラムは、該メッセージデータ内に格納されたコマンドデータを１つずつ順番に、該第３の装置に送信することを特徴とする請求項６のコマンドデータの処理方法。
【請求項８】
前記第３の装置は、受信したコマンドデータを解析し、その解析の結果に応じて、所定の部位を駆動制御し、又は所定の部位から状態情報を取得し、制御又は取得の結果を応答として該ネットワーク装置へ送信し、
該ネットワーク装置の該コマンドスループログラムは、該第３の装置から送信され、受信した該応答を該情報処置装置へ送信することを特徴とする請求項６又は７のコマンドデータの処理方法。
【請求項９】
該ネットワーク装置の該コマンドスループログラムは、メッセージデータ中のコマンドデータを１バイトずつ受信しながら、受信した１バイトずつのコマンドデータをシリアルインタフェースを介して該第３の装置へ送信することを特徴とする請求項６乃至８のいずれかのコマンドデータの処理方法。
【発明の詳細な説明】
【技術分野】
【０００１】
本発明は、ネットワークシステム及びネットワーク装置に係り、特に、ユビキタスレディ機器を接続するユビキタス通信アダプタを含むシステムにおけるユビキタスレディ機器に対するコマンドデータの生成及び処理に関する。
【背景技術】
【０００２】
近年、照明などの住宅設備機器、エアコンや冷蔵庫などの白物家電機器、血圧計や体重計などのヘルスケア機器、温度センサ、湿度センサ、照度センサ、電力量センサなどのセンサ機器（以下、これらを纏めて住宅関連機器という）にネットワーク装置を接続し、ネットワークを経由してコントロール装置からこれらの機器を制御したり、その状態を取得することによって、ホームヘルスケアやホームセキュリティ、省エネ制御を行うサービスシステムが提唱されている。このようなサービスシステムを普及させるためには、ネットワーク装置の小型化や低消費電力化が求められる。また、白物家電や設備系の機器に対しては、ネットワーク装置を低コスト化することが求められる。
【０００３】
住宅関連機器でも、ＬＥＤ表示器や蛍光管表示器のような電光表示器の中には、外部機器から機器本体を制御したり、状態取得することができるシリアルＩ／Ｆを備えたものが既に製品化されている。これらのシリアルＩ／Ｆは主にパソコンと１対１で接続して使用されるが、このシリアルＩ／Ｆにパソコンの代わりにネットワーク装置を接続することにより、これらの機器をネットワークに接続して対応することができる。このようなシリアルＩ／Ｆを備えた住宅設備機器、白物家電機器、ヘルスケア機器、センサ機器、電光表示器などを総称してユビキタスレディ機器と呼ぶ。またユビキタスレディ機器のシリアルＩ／Ｆに接続するネットワーク装置をユビキタス通信アダプタと呼ぶ。ユビキタス通信アダプタは、コントロール装置から送信された制御メッセージや状態取得メッセージを受信し、その制御メッセージや状態取得メッセージから変換したコマンドデータをユビキタスレディ機器に送信する。また、コマンドデータの応答などをユビキタスレディ機器から受信して、コントロール装置に送信する。
【０００４】
一般に、ネットワーク上の通信データは、インターネットプロトコル（Internet Protocol、略してＩＰ）に代表されるような通信プロトコルに従って送受信される。ネットワークを利用した通信では、パケットと呼ばれる数バイトから数キロバイトのメッセージデータをネットワーク装置間でやり取りする。ネットワーク装置は、このパケットデータに対して様々な処理を施しながら送信および受信するので、このパケットデータのサイズに応じた大量の可変メモリ、例えばＲＡＭ（Random Access Memory）を必要とする。
【０００５】
その結果、ネットワーク装置が大型化し、コストアップ、消費電力が増大するという問題が生じる。また、パケットデータの処理に時間がかかり、実用的な応答時間を得るためには大型のプロセッサが必要となり、このことも、ネットワーク装置の大型化や、コストアップ、消費電力の増大につながる。
【０００６】
このような問題に対処するために、特許文献１（特開２００５−１２８８８８公報）には、低消費電力化、小型化、低コスト化を実現し、可変メモリの小容量化を図った、ネットワークに接続されるコマンド処理装置が提唱されている。
【０００７】
【特許文献１】特開２００５−１２８８８８公報
【発明の開示】
【発明が解決しようとする課題】
【０００８】
上述したユビキタス通信アダプタに対して、特許文献１に開示された技術を適用すると、ユビキタス通信アダプタ内部のＣＰＵにおける通信プロトコル処理を逐次的に処理することにより、通信プロトコル受信時における備えるべきＲＡＭ容量を小さくすることができる。
【０００９】
しかしながら、特許文献１の技術は、以下のような問題があることがわかった。
すなわち、特許文献１に記載のネットワーク装置はＩ／Ｏによって住宅設備機器や白物家電機器、センサ機器などに接続されているので、受信したパケットは最終的には１バイト程度のＩ／Ｏ制御情報に変換され、当該制御情報によってＩ／Ｏを制御した後には、情報はＲＡＭから削除する。しかし、ユビキタス通信アダプタはメッセージを全て受信した後、ユビキタスレディ機器へ送信するコマンドデータを生成し、コマンドデータの全データを一時的にＲＡＭに保持した後に、ユビキタスレディ機器に制御メッセージを送信する。このため、コマンドデータが長くなればなるほど、この一時的に保持するために必要となるＲＡＭの容量が大きくなる。また、一時的に保持する時間がユビキタスレディ機器にコマンドを送信する遅延時間となるため、伝達時間が遅くなる。
【００１０】
本発明の目的は、ユビキタス通信アダプタの如きネットワーク装置で使用されるメモリの容量を削減することにある。
また、本発明は、ユビキタス通信アダプタにおけるコマンドの処理を軽減し、ユビキタス通信アダプタ内部のＣＰＵが処理能力の低い場合であっても、コントロール装置からユビキタスレディ機器へのコマンドデータの伝達速度を速くすることにある。
【課題を解決するための手段】
【００１１】
本発明に係るネットワークシステムは、第３の装置を接続するネットワーク装置と、ネットワーク装置にネットワークを介して接続される情報処理装置を含むネットワークシステムにおいて、情報処理装置は、ネットワークを介してネットワーク装置からコマンド生成プログラムをダウンロードするダウンロード部と、ダウンロード部によりロードされたコマンド生成プルグラムを実行して、コマンドを生成するプログラム実行部とを有し、かつ、生成されたコマンドを含むメッセージデータをネットワーク装置へ送信し、
ネットワーク装置は、記憶部内に記憶された、コマンドを生成するコマンド生成プログラムと、情報処理装置から送信されたメッセージデータを受信して、解析するメッセージ解析部とを有し、メッセージ解析部による解析結果に従って、情報処理装置から送信されたコマンドを第３の装置に送信するネットワークシステムである。
好ましい例では、前記第３の装置は、住宅設備機器、家電機器又はセンサ機器を含むユビキタスレディ機器であり、ネットワーク装置に接続するためのシリアルインタフェースと、シリアルインタフェースを介して受信したコマンドデータを解析するコマンド解析部と、を有し、コマンド解析部におけるコマンドデータの解析の結果に応じて、ユビキタスレディ機器の所定の部位を駆動制御し、又は所定の部位から状態情報を取得する。
また、好ましくは、このネットワーク装置は、情報処理装置から送信される複数の要素データからなるメッセージデータを、要素データを順に受信して取得するメッセージ受信部と、メッセージデータの要素データを１つずつ順番に状態遷移に従って処理する前記メッセージ解析部と、メッセージ内に格納されたコマンドデータを１つずつ順番に、第３の装置に送信するコマンド転送部と、を有する。
更に、好ましくは、情報処理装置とネットワーク装置との間のインタフェースは、有線又は無線を用いて通信する通信インタフェースであり、メッセージ受信部は、通信インタフェースを介して要素データを受信する。
また、好ましくは、メッセージ受信部は、インターネットプロトコルに従い、ＩＰパケットとしてメッセージデータを受信し、メッセージデータには、情報処理装置のＩＰアドレスとネットワーク装置のＩＰアドレスが宛先または差出のアドレスに格納され、コマンドデータが格納されるメッセージである。
また、好ましくは、前記情報処理装置は、Ｗｅｂブラウザ機能を備えた端末装置であり、前記ネットワーク装置は複数のユビキタスレディ機器を接続することができるユビキタス通信アダプタである。
【００１２】
本発明に係るネットワーク装置は、シリアルインタフェースを介して第３の装置に接続されると共に、ネットワークを介して情報処理装置に接続されるネットワーク装置であって、記憶部内に記憶された、コマンドを生成するコマンド生成プログラムと、情報処理装置から送信されたメッセージデータを解析するメッセージ解析部とを有し、情報処理装置からの要求に従って、コマンド生成プログラムを情報処理装置に送信し、かつ、情報処理装置で生成されてネットワークを介して送信されたコマンドを受信して、コマンドをメッセージ解析部で解析し、解析結果に従ってコマンドを第３の装置に送信するネットワーク装置である。
好ましくは、このネットワーク装置は、情報処理装置から送信される複数の要素データからなるメッセージデータを、要素データを順に受信して取得するメッセージ受信部と、メッセージデータの要素データを１つずつ順番に状態遷移に従って処理する前記メッセージ解析部と、メッセージ内に格納されたコマンドデータを１つずつ順番に、第３の装置に送信するコマンド転送部と、を有する。
一例では、ネットワーク装置は、第３の装置におけるコマンドの処理結果を応答として受信し、応答をネットワークを介して情報処理装置へ送信する。
【００１３】
本発明に係る処理方法は、第３の装置を接続するネットワーク装置と、ネットワーク装置にネットワークを介して接続される情報処理装置を含むネットワークシステムにおける処理方法であって、
情報処理装置は、ネットワーク装置で保持されるコマンド生成プログラムをダウンロードして、コマンド生成プログラムを実行してコマンドを生成し、生成されたコマンドを含むメッセージデータをネットワーク装置へ送信し、
ネットワーク装置は、情報処理装置から送信されたメッセージデータを受信して、メッセージ解析部で解析し、その解析結果に従って、情報処理装置から送信されたコマンドを第３の装置に送信する処理方法である。
好ましい例では、ネットワーク装置は、情報処理装置から送信される複数の要素データからなるメッセージデータを、要素データを順に受信し、メッセージデータの要素データを１つずつ順番に状態遷移に従って処理して、メッセージデータ内に格納されたコマンドデータを１つずつ順番に、第３の装置に送信する。
また、一例では、前記第３の装置は、受信したコマンドデータを解析し、その解析の結果に応じて、所定の部位を駆動制御し、又は所定の部位から状態情報を取得し、制御又は取得の結果を応答としてネットワーク装置へ送信し、ネットワーク装置は、受信した応答を情報処置装置へ送信する。
また、好ましくは、ネットワーク装置は、メッセージデータ中のコマンドデータを１バイトずつ受信しながら、受信した１バイトずつのコマンドデータをシリアルインタフェースを介して第３の装置へ送信する。
【００１４】
本発明は、また、ユビキタス通信アダプタで取扱われるプログラムの集合体としても把握できる。すなわち、シリアルインタフェースを介してユビキタスレディ機器に接続され、かつネットワークを介して情報処理装置に接続されるユビキタス通信アダプタで取扱われるプログラムの集合体であって、コマンドを生成するコマンド生成プログラムと、情報処理装置から送信される複数の要素データからなるメッセージデータを、要素データを順に受信して取得するメッセージ受信プログラムと、メッセージデータの要素データを１つずつ順番に状態遷移に従って処理するメッセージ解析プログラムと、メッセージ内に格納されたコマンドデータを１つずつ順番に、ユビキタスレディ機器に送信するコマンド転送プログラムと、を含み、情報処理装置からの要求に従って、コマンド生成プログラムは情報処理装置に送信され、かつ、情報処理装置で生成されてネットワークを介して送信されたコマンドをメッセージ受信プログラムによって受信し、メッセージ解析プルグラムでコマンドを解析し、解析結果に従ってコマンド転送プログラムによってコマンドをユビキタスレディ機器に送信するユビキタス通信アダプタにおけるプログラム集合体である。
【発明の効果】
【００１５】
本発明によれば、ネットワークに接続された情報処理装置（例えばコントロール装置）でコマンドを生成するようにしたので、ユビキタス通信アダプタではコマンド生成に関連する情報を保持するためのメモリを削減することができる。
また、本発明によれば、情報処理装置から受信したメッセージに保持されているコマンドデータを、逐次第３の装置（例えばユビキタスレディ機器）に送信するので、情報処理装置が送信したメッセージに格納されるコマンドデータが第３の装置に伝達される時間を短縮することができる。
【発明を実施するための最良の形態】
【００１６】
図１は一実施例に係るネットワークシステムの構成例である。
このシステムは、ネットワーク１３０に接続されたコントロール装置１０１とユビキタス通信アダプタ１０２、及びこのユビキタス通信アダプタ１０２にシリアルインタフェース（Ｉ／Ｆ）１４１を介して接続されたユビキタスレディ機器１０４を有して構成される。
コントロール装置１０１は、ユビキタスレディ機器１０４の管理や制御を行なう装置として機能し、例えばＰＣ（パーソナルコンピュータ）やＷｅｂブラウザ端末のような装置である。コントロール装置１０１は、ネットワーク１３０を経由してユビキタス通信アダプタ１０３にメッセージを送信したり、ユビキタス通信アダプタ１０３からのメッセージを受信する。
【００１７】
コントロール装置１０１は、プログラムダウンロード部１０５、プログラム実行部１０６、及びネットワークに対してパケットデータを送受信するパケット送受信部１０２を有して構成される。なお、図示していないが、コントロール装置１０１は、ディスプレイなどの表示装置や、キーボードやマウスなど入力装置を含むヒューマンＩ／Ｆを有し、表示装置に文字や画像などを描画したり、入力装置から入力された情報を取得したりすることができる。
【００１８】
プログラムダウンロード部１０５はネットワーク１３０を経由して、ユビキタス通信アダプタ１０３からプログラムをダウンロードする手段であり、例えば、Ｗｅｂブラウザのテキストダウンロード機能などである。プログラム実行部１０６はプログラムダウンロード部１０５によってダウンロードされたプログラムを実行する手段であり、例えば、ＷｅｂブラウザのJavaScript実行機能である。
ネットワーク１３０は、コントロール装置１０１とユビキタス通信アダプタ１０３を接続する、例えばローカルネットワークやインターネット、携帯電話網などのようなネットワークである。
【００１９】
ユビキタス通信アダプタ１０３は、コントロール装置１０１から送信されたメッセージデータを受信し、ユビキタスレディ機器１０４にそのメッセージデータの一部として格納されたコマンドデータを送信し、また、コマンドデータの応答などをユビキタスレディ機器１０４から受信して、コントロール装置１０１に送信する動作を行なう。
【００２０】
ユビキタス通信アダプタ１０３は、ＣＰＵ１０７、ＲＡＭ１０８、ネットワークモジュール１０９、ＲＯＭ１１０、シリアルＩ／Ｆ１１１、水晶発振子１１２、電源１１３を有して構成される。また、図示していないが、ユビキタス通信アダプタ１０３は、コントロール装置１０１から送信されたダウンロード要求に応じて、コントロール装置１０１に対してプログラムのダウンロードを実行する手段を有する。この手段は、例えばＷｅｂサーバなどのダウンロード実行機能である。
【００２１】
ＣＰＵ１０７は、ユビキタス通信アダプタ１０３の動作に関するあらゆる計算処理を行う装置で、主にＲＡＭ１０８やＲＯＭ１１０に格納されるプログラムを実行し処理する演算処理装置である。ＲＡＭ１０８は、ＣＰＵ１０７で実行されるプログラムが静的または動的に必要とする可変データを記憶する。可変データとは、例えば、変数やメッセージデータ、コマンドデータである。また、実行ステートと呼ぶ状態遷移（ステートの遷移）の状態を表す値を記憶する。
ネットワークモジュール１０９は、ネットワーク１３０を経由してパケットを送受信するために、例えば、ネットワークOSI参照レイヤの物理レイヤやデータリンクレイヤの処理を行なうモジュールである。例えば、Ethernet（ＩＥＥＥ８０２．３委員会による標準）モジュールや無線ＬＡＮモジュールなどである。
【００２２】
ＲＯＭ１１０は、ＣＰＵ１０７で動作するプログラムを記憶する記憶ユニットであり、本実施例では、メッセージ受信プログラム１１４、メッセージ解析プログラム１１５、コマンド生成プログラム１１６、コマンドスループログラム１１７を記憶している。
ＲＯＭ１１０に記憶される、これらのプログラム１１４〜１１７の処理動作については、図４〜図７を参照して、後述する。
【００２３】
シリアルＩ／Ｆ１１１は、ユビキタス通信アダプタ１０３とユビキタスレディ機器１０４との間のデータのやり取りを行うためのインタフェースであり、データを一度に１ビットずつ転送する通信チャンネルである。例えば、ＲＳ２３２Ｃ、ＵＡＲＴ、オープンコレクタ、ＴＴＬ等を使用できる。なお、シリアルＩ／Ｆ１１１の代わりにパラレルＩ／ＦやＵＳＢ Ｉ／Ｆなどを使用しても良い。ユビキタス通信アダプタ１０３は、複数のシリアルＩ／Ｆ１１１を有する場合があり、その場合には、それぞれ番号１、番号２などと、番号が付されている。
水晶発振子１１２はＣＰＵ１０７に対して動作の指針となるクロックを与える部品である。電源１１３はＣＰＵ１０７やネットワークモジュール１０９などに電力を供給する部品である。
【００２４】
ユビキタスレディ機器１０４は、シリアルＩ／Ｆ１２１を介してユビキタス通信アダプタ１０３と接続される。この機器１０４は、例えばＪＡＭ-Ｓ端子やEchonet（エコーネットコンソーシアムにより提唱された、家庭内の電灯線や無線を利用したネットワークの規格）ミドルウェアアダプタＩ／ＦのようなシリアルＩ／Ｆを持ったエアコンなどの白物家電、ＲＳ-２３２Ｃの通信インタフェースを持った体重計や血圧計などのヘルスケア機器、シリアルＩ／Ｆ経由で文字列の書込みや文字列の制御を可能とするＬＥＤ表示器、シリアルＩ／Ｆでセンサ情報を入出力する電力計センサなどであり、それぞれシリアルＩ／Ｆ１２１、コマンド解析部１２２、駆動装置１２３、センサ１２４を有して構成される。
【００２５】
ここで、シリアルＩ／Ｆ１２１は、シリアルＩ／Ｆ１１１と同様に、ユビキタス通信アダプタ１０３とユビキタスレディ機器１０４との間のデータのやり取りを行うためのＩ／Ｆであり、データを一度に１ビットずつ転送する通信チャンネルである。例えば、ＲＳ２３２Ｃ、ＵＡＲＴ、オープンコレクタ、ＴＴＬである。なお、シリアルＩ／Ｆ１２１の代わりにパラレルＩ／ＦやＵＳＢなどを使用しても良い。
【００２６】
コマンド解析部１２２は、シリアルＩ／Ｆ１２１を経由してユビキタス通信アダプタからの送信されたコマンドを解析して、駆動装置１２３を制御したり、センサ１２４の情報を取得したりして、必要であればコマンドデータの応答をシリアルＩ／Ｆ１２１を経由で応答する機能である。この機能は、例えばコマンド解析プルグラムをＣＰＵ（図示せず）で実行することにより実現される。
駆動装置１２３は、例えばモーターや、コンプレッサー、照明、ＬＥＤ、蛍光管等の制御回路であったり、電熱回路である。センサ１２３は、例えば温度や照度や照度、振動センサ、加速度センサ、人検知センサ、方位センサなどである。
【００２７】
なお、図１では、図示を簡略化するために、システム内の装置を１台ずつ示した。例えば、ネットワーク１３０には１台のコントロール装置１０１が接続された例を示したが、実際には複数のコントロール装置１０１が接続されてもよい。また、ユビキタス通信アダプタ１０３にはそれぞれシリアルＩ／Ｆ１４１を介して複数のユビキタス機器１０４が接続されてもよい。
【００２８】
次に、図２、図３を参照して、ネットワーク１３０で送受信されるパケットフォーマットについて説明する。
図２はネットワーク上で送受信されるメッセージのパケットフォーマットの一例を示す。このパケットフォーマット２０１は、ＩＰネットワークで使用されるパケットの１つであるＨＴＴＰパケットを簡略化して示したものである。このパケットは、ユビキタス通信アダプタ１０３においては、ネットワークモジュール１０９及びＲＯＭ１１０内のプログラム（図示せず）によって処理される。コントロール装置１０１についても、特に図示はしていないが、コントロール装置１０１内のパケット送受信部１０２によって送信処理されたり、受信処理されたりする。
【００２９】
送信元ＭＡＣアドレス２０２および送信先ＭＡＣアドレス２０３は、例えば、ネットワークＯＳＩ参照レイヤにおいて、物理レイヤ、データリンクレイヤの通信において使用されるアドレスであり、例えば、ネットワーク１３０においてユニークに機器を識別できる値で構成される。本実施例では、便宜上、ＩＥＥＥ８０２仕様アドレスで構成されている。
送信元ＭＡＣアドレス２０２は、ネットワーク１３０内でパケットを送信したコントロール装置１０１又はユビキタス通信アダプタ１０３のアドレスを格納する。送信先ＭＡＣアドレス２０３は、ネットワーク１３０内でパケットを受け取るコントロール装置１０１又はユビキタス通信アダプタ１０３のアドレスを格納する。
【００３０】
バージョン情報２０４は、パケットフォーマットのバージョン情報を格納する。例えばＩＰバージョン４のパケットフォーマットであることを示すのであれば、値「４」を格納する。
差出ＩＰアドレス２０５は、差出元のＩＰアドレスを格納するエリアであり、例えば、差出元となるコントロール装置１０１またはユビキタス通信アダプタ１０３のＩＰアドレスを格納する。例えば、差出元のＩＰアドレスが値「１９２.１６８.１.１」であるならば、その値「１９２.１６８.１.１」を格納する。
【００３１】
宛先ＩＰアドレス２０６は、宛先のＩＰアドレスを格納するエリアであり、例えば、宛先となるコントロール装置１０１またはユビキタス通信アダプタ１０３のＩＰアドレスを格納する。例えば、差出元のＩＰアドレスが値「１９２.１６８.１.１」であるならば、その値「１９２.１６８.１.１」を格納する。
送信元ポート番号２０７は、ＩＰパケットを受信処理することになるコントロール装置１０１上のプログラムの識別番号を格納する。例えば、値「１２３４」を格納する。送信元ポート番号２０８は、ＩＰパケットを送信したユビキタス通信アダプタ１０３上のプログラムの識別番号を格納する。例えば、値「８０」を格納する。
【００３２】
メッセージタイプ２０９は、メッセージ部の種別情報を格納するエリアである。メッセージタイプは、例えば、ＨＴＴＰパケットにおいて、制御する場合であれば、例えば、文字列で「GET /Serial_Set.cgi?」となる。状態取得する場合であれば、例えば、文字列で「GET /Serial_Get.cgi?」となる。ユビキタス通信アダプタ１０３からプログラムをダウンロードする場合は、文字列で「GET /download.html」となる。
メッセージ部２１０は、ユビキタスレディ機器１０４が接続されているユビキタス通信アダプタ１０３のシリアルＩ／Ｆ１１１の番号を示す値と、ユビキタスレディ機器１０４で処理されるコマンドデータとの組で構成される。
【００３３】
図３は、図２に示したパケット２０１のメッセージ部２１０に格納されるメッセージ３０１の一例を示す。
例えば、一つ目の「１」はユビキタス通信アダプタ１０３のシリアルＩ／Ｆ１１１の番号を示し、２つ目以降の「０２ ０９ ０１ ６０ ８０ ３０」は、ユビキタスレディ機器１０４に渡されるコマンドデータである。
【００３４】
次に、図４を参照して、メッセージ受信プログラム１１４による処理動作について説明する。メッセージ受信プログラム１１４は、ネットワーク１３０を介してメッセージを受信する。
まず、受信するパケットの受信処理をする（４０１）。パケットの受信処理が行なわれると、メッセージタイプが制御または状態取得であるか否かを調べる（４０２）。そのチェックの結果、「メッセージ受信あり」であれば、ステップ４０３へ進み、「メッセージ受信あり」で無ければ、ステップ４０１へ戻る。
【００３５】
次に、実行ステートを示す値を１にする（４０３）。そして、ネットワークモジュールからＨＴＴＰパケットフォーマットで受信したメッセージデータの１バイトを取得する（４０４）。メッセージ解析プログラムに１バイト渡す（４０５）。
その後、パケットの最後か否かを調べる（４０６）。ＨＴＴＰパケットフォーマットで受信したメッセージデータの最後であれば、ステップ４０７へ進む。パケットの最後でなければ、ステップ４０４へ戻る。最後に、実行ステートの値を０にして（４０７）、以後ステップ４０２に進む。
【００３６】
次に、図５を参照して、メッセージ解析プログラム１１５の処理動作について説明する。
これは、メッセージ受信プログラム１１４から渡された１バイトのコマンドデータを解析して、コマンドスループログラム１１６に渡すプログラムである。
まず、メッセージ受信プログラム１１４から１バイト受け取る（５０１）。そして、実行ステートの値をチェックする（５０２）。このチェックの結果、もし、実行ステートの値が１のときは、ステップ５０５へ進む。もし、実行ステートの値が２のときは、ステップ５０３へ進む。また、もし実行ステートの値が３のときは、ステップ５０４へ進む。
【００３７】
ステップ５０３では、送信元にシリアルＩ／Ｆ１１１の番号１を指定して、コマンドスループログラム１１６に１バイト渡す処理を行なう（５０３）。その処理後、ステップ５０１へ戻る。ステップ５０４では、送信元にシリアルＩ／Ｆ１１１の番号２を指定して、コマンドスループログラムに１バイト渡す処理を行なう（５０４）。その処理後、ステップ５０１へ戻る。
【００３８】
ステップ５０５では、受け取った１バイト目の値をチェックする。このチェックの結果、もし１バイト目の値が１のときは、ステップ５０６へ進む。もし、１バイト目の値が２のときは、ステップ５０７へ進む。その他の場合はステップ５０８へ進む。その後、ステップ５０６では、実行ステートを２にする処理を行い、その後ステップ５０１へ戻る。また、ステップ５０７では、実行ステートを３にする処理を行い、その後ステップ５０１へ戻る。また、ステップ５０８では、実行ステートを０にする処理を行い、ステップ５０１へ戻る。
【００３９】
図６は、コマンドスループログラム１１６の処理動作を示す。
コマンドスループログラム１１６は、メッセージ解析プログラム１１５から渡されたコマンドデータの１バイトをシリアルＩ／Ｆ１１１を経由して、ユビキタスレディ機器１０４に送信するプログラムである。
コマンドデータの１バイトを受け取ったかどうかを調べ（６０１）、その結果、もしコマンドデータを１バイト受け取れば、ステップ６０２へ進む。一方、コマンドデータ１バイトを受け取らなければ終了する。ステップ６０２では、シリアルＩ／Ｆ１１１を経由して、ユビキタスレディ機器１０４に１バイトデータを送信する。その処理が終わると、ステップ６０１へ戻る。
【００４０】
図７はコマンド生成プログラム１１７の処理動作を示す。
このプログラムは、ユビキタスレディ機器１０４の駆動装置を制御したり、センサの状態を取得するためのコマンドを生成するプログラムであり、ネットワーク１３０を経由してコントロール装置１０１にダウンロードされ、コントロール装置１０１のプログラム実行部１０６で実行される。
まず、コントロール装置１０１内の表示装置に、入力表示画面８０１（図８参照）を描画する（７０１）。そして、表示内容から入力イベントありか否かを調べる（７０２）。その結果、もし入力イベントがあれば、ステップ７０３へ進む。もし入力イベントがなければ、ステップ７０１へ戻る。
ステップ７０３では、コマンドを生成してメッセージデータに格納する。また、ステップ７０４では、メッセージデータをＨＴＴＰパケットとしてユビキタス通信アダプタ１０３へ送信する。その後ステップ７０１へ戻る。
【００４１】
図８は、コントロール装置１０１における入力表示画面の一例である。
入力表示画面８０１は、コントロール装置１０１のプログラムダウンロード部１０５がユビキタス通信アダプタ１０３からネットワーク１３０を介してダウンロードしたコマンド生成プログラム１１７が入力表示画面を描画する処理(ステップ７０１)によって描画した画面である。入力表示画面８０１は、電源状態を示したり、制御したい電源状態を入力するＯＮのセレクトボタン８０２とＯＦＦのセレクトボタン８０３と、センサ状態を示すテキストボックス８０４と、制御ボタン８０５と、状態取得ボタン８０６を有して構成される。
【００４２】
次に、図９乃至図１０を参照して、本システムの全体的な動作について説明する。
図９のシーケンス図を用いて、制御メッセージの処理について説明する。
コントロール装置１０１は、ユーザ９００からの要求９０１を受け付けて、ユビキタス通信アダプタ１０３に対してコマンド生成プログラムのダウンロード要求９０２を送信する。ユビキタス通信アダプタ１０３は、コマンド生成プログラム１１７のダウンロード要求９０２を受信すると、コントロール装置１０１に対してコマンド生成プログラム１１７のダウンロードを開始し(処理９０３)、コマンド生成プログラム１１７のダウンロード９０４を行なう。
ユーザ９００は、コントロール装置１０１の表示装置の表示からダウンロード完了９０５を確認すると、コントロール装置１０１のプログラム実行部１０６によって実行されたコマンド生成プログラム１１７が描画した入力表示画面８０１に制御したい情報を入力する(処理９０６)。すると、プログラム実行部１０６はコマンド生成プログラム１１７を実行して、制御コマンドを生成する(処理９０７)。そして、ユーザ９００が入力表示画面の制御ボタン８０５を押すと(処理９０８)、制御メッセージ９０９をユビキタス通信アダプタ１０３へ送信する。
【００４３】
ユビキタス通信アダプタ１０３は、コントロール装置１０１から送信された制御メッセージ９０９を受信すると、メッセージ受信プログラム１１４を実行してメッセージ受信処理９１０を行なう。メッセージ受信プログラム１１４は、受け取ったメッセージをメッセージ解析プログラム１１５に１バイトずつデータを渡し、メッセージ解析プログラム１１５はメッセージ解析処理９１１を行なう。コマンドスループログラム１１６は、メッセージ解析プログラム１１５の実行により１バイトずつ渡されたコマンドデータをコマンドスルー処理し（９１２）、コマンドデータの送信（処理９１３）を行なう。
【００４４】
ユビキタス通信アダプタ１０３は、受理応答９１４を送信し、受理応答９１４を受信するコントロール装置１０１は、ユーザ９００に対して結果を表示する(処理９１５)。ユビキタスレディ機器１０４は、コマンドデータを受信すると、コマンド解析部１２２によってコマンドを解析し（処理９１６）、駆動装置１２３を制御する(処理９１７)。
【００４５】
次に、図１０のシーケンス図を用いて、状態取得メッセージの処理について説明する。
コントロール装置１０１はユーザ１０００からの要求１００１を受け付けて、ユビキタス通信アダプタ１０３に対してコマンド生成プログラムのダウンロード要求１００２を送信する。ユビキタス通信アダプタ１０３は、コマンド生成プログラムのダウンロード要求１００２を受信すると、コマンド生成プログラムダウンロードを開始し(処理１００３)、コマンド生成プログラムのダウンロード１００４を行なう。
ユーザ９００は、ダウンロード完了１００５を確認すると、入力表示画面８０１から状態取得したい情報を入力する(処理１００６)。すると、プログラム実行部１０６はコマンド生成プログラム１１７を実行して、状態取得コマンドを生成する(処理１００７)。そしてユーザ９００が入力表示画面の状態取得ボタン８０６を押すと(処理１００８)、状態取得メッセージ１００９を送信する。
【００４６】
ユビキタス通信アダプタ１０３は、状態取得メッセージ１００９を受信すると、メッセージ受信プログラム１１４を実行してメッセージ受信処理１０１０を行なう。メッセージ受信プログラム１１４はメッセージ解析プログラム１１５に１バイトずつデータを渡し、メッセージ解析プログラム１１５はメッセージ解析処理１０１１を行う。コマンドスループログラム１１６は、メッセージ解析プログラム１１５より１バイトずつ渡されたコマンドデータをコマンドスルー処理し（処理１０１２）、コマンドデータの送信（処理１０１３）を行う。
【００４７】
ユビキタスレディ機器１０４は、シリアルＩ／Ｆ１２１を経由してコマンドデータを受信すると、コマンド解析部１２２によってコマンドを解析し（処理１０１５）、センサ１２０の状態を取得する(処理１０１６)。そして、ユビキタスレディ機器１０４は、センサ１２０の状態値１０１４のデータをユビキタス通信アダプタ１０３へ送信する。
ユビキタス通信アダプタ１０３は、コマンドスループログラム１１６と同様の処理で、受信した状態値１０１４のデータをネットワーク１３０を経由して１バイトずつ状態応答メッセージ１０１８として送信する。
コントロール装置１０１は、状態応答メッセージ１０１８を受信し、ユーザ９００に対して、結果を表示する(処理１０１９)。
【００４８】
以上のように、本実施例によれば、コントロール装置でコマンドを生成するようにしたので、ユビキタス通信アダプタではコマンド生成に関連する情報を保持するのためメモリを削減することができ、ユビキタス通信アダプタが保持するコマンドのメモリを削減できる。これによりユビキタス通信アダプタのＣＰＵが必要となるＲＡＭを減らすことができる。これによって、ユビキタス通信アダプタは、例えば、ＣＰＵ、ＲＯＭ、ＲＡＭがワンチップになったマイクロプロセッサーの内蔵のＲＡＭだけで動作するため、部品数を減らすことができるので、低コストなネットワーク装置を提供することができる。また、部品数を減らせるので低消費電力、小型なネットワーク装置を提供することが出来る。
【００４９】
また、本実施例によれば、コントロール装置から受信したメッセージに格納されているコマンドデータを、逐次的にユビキタスレディ機器に送信するので、コントロール装置が送信したメッセージに格納されるコマンドデータがユビキタスレディ機器に伝達される時間を短縮することができる。このため、低処理能力のＣＰＵで高レスポンスな制御を実現することができ、ユビキタスレディ機器の快適な制御や状態の取得を行なうことが出来る。
【図面の簡単な説明】
【００５０】
【図１】一実施例によるネットワークシステムの構成例を示す図。
【図２】一実施例におけるネットワーク上で送受信されるメッセージのパケットフォーマットを示す図。
【図３】一実施例における図２に示したパケットのメッセージ部の一例を示す図。
【図４】一実施例におけるメッセージ受信プログラム１１４の処理動作を示すフローチャート図。
【図５】一実施例におけるメッセージ解析プログラム１１５の処理動作を示すフローチャート図。
【図６】一実施例におけるコマンドスループログラム１１６の処理動作を示すフローチャート図。
【図７】一実施例におけるコマンド生成プルグラム１１７の処理動作を示すフローチャート図。
【図８】一実施例におけるコントロール装置１０１における入力表示画面の一例を示す図。
【図９】一実施例における制御メッセージの処理シーケンスの一例を示す図。
【図１０】一実施例における状態取得メッセージの処理シーケンスの一例を示す図。
【符号の説明】
【００５１】
１０１：コントロール装置  １０２：パケット送受信部  １０３：ユビキタス通信アダプタ  １３０：ネットワーク  １０４：ユビキタスレディ機器  １０５：プログラムダウンロード部  １０６：プログラム実行部  １０７：ＣＰＵ  １０８：ＲＡＭ  １０９：ネットワークモジュール  １１０：ＲＯＭ  １１１：シリアルＩ／Ｆ  １１２：水晶発振子  １１３：電源  １１４：メッセージ受信プログラム  １１５：メッセージ解析プログラム  １１６：コマンドスループログラム  １１７：コマンド生成プログラム  １２０：センサ  １２１：シリアルＩ／Ｆ  １２２：コマンド解析部  １４１：シリアルＩ／Ｆ  
１２３：駆動装置  ８０１：入力表示画面  ８０５：制御ボタン  ８０６：状態取得ボタン
【図１】
0004456553.tif 000002
【図２】
0004456553.tif 000003
【図３】
0004456553.tif 000004
【図４】
0004456553.tif 000005
【図５】
0004456553.tif 000006
【図６】
0004456553.tif 000007
【図７】
0004456553.tif 000008
【図８】
0004456553.tif 000009
【図９】
0004456553.tif 000010
【図１０】
0004456553.tif 000011